(57)【要約】【課題】  片手で簡単にロールペーパーをホルダーに装着、切断、束ねて次のペーパーの先端部をつまみ易い状態を残して切断できるトイレットペーパーホルダーを提供する。【解決手段】  ペーパーの収納部を有するホルダー本体部と、該本体部と回動可能なカバー部から構成され、該カバーを開口し、該収納部へペーパーの外周を保持して収納する。該カバーまたは該本体部の何れかにカッタを設け、もう一方にはカッタと対峙し、カッタを陥入する溝を有した受台を設け、該本体と該カバーが閉じた際にカッターレバーを動作させペーパーをカットする切断機構と、ペーパーを保持する押圧機構と、該切断機構と該収納部との間に引き出されたペーパーを撓ませるループ機構と、引き出されたペーパーを該収納部に逆流を防止する機構と、排出されるペーパーを巻き付けて所定の幅に折り畳む巻取り装置とを設けたことを特徴とするトイレットペーパーホルダーを提供する。【選択図】図１
2017070701.tif 000002
【特許請求の範囲】
【請求項１】
ペーパー収納部を備えたホルダー本体と、
該ホルダー本体に回動自在に取り付けられたカバーと、
ペーパーを切断する切断機構と、
を具備したトイレットペーパーホルダーにおいて、
ペーパーの外周部を保持する構造とした該ペーパー収納部と、
薄板状の刃物と該刃物が陥入する溝を有した受台とからなり、何れかの一方がホルダー本体に、他方がカバーに分離可能に配設された該切断機構と、
該刃物の周囲を所定の押圧を付与する紙の押圧機構と、
該切断機構のペーパー搬送経路上流側に、該切断機構と連動して通紙面より凸状にペーパーを撓ませるループ形成部材と、
該ループ部材と協働するペーパーリフターと、
該ペーパー収納部のペーパー引出位置にペーパーを送り出すローラ棒と、
該ペーパー収納部へペーパーを逆流防止する機構と、
を備えたことを特徴としたトイレットペーパーホルダー。
【請求項２】
ペーパーの幅方向と概ね平行に回転軸を有した回転体で、
該回転体のフランジに片持ちで固着支持され、ペーパーの幅方向に伸びた複数の巻取棒を備えた巻取機構であって、
紙幅の１／２〜２／３程度の長さとし、回転軸に平行もしくは回転方向に僅かに傾けた該巻取棒有し、前記切断機構のペーパー経路の下流側に設けたことを特徴とした請求項１に記載のトイレットペーパーホルダー。
【発明の詳細な説明】
【技術分野】
【０００１】  本発明は、トイレットペーパー用ホルダーに関し、片手で簡単にトイレットペーパーをホルダーに装着して、次の使用分のトイレットペーパーの先端部をつまみ易い状態で残して切断できる切断機構と、切断したトイレットペーパーを片手で巻き取り束にする機構を具備したトイレットペーパー用ホルダーに関するものである。
【背景技術】
【０００２】  トイレットペーパーを交換する際は、トイレットペーパー本体の中心部にある穴に芯棒などを通しての交換、またペーパーの先端を紙送りローラ等の隙間に挿入するという工程が必要であったため、トイレットペーパーの交換作業が片手では面倒だった。（特許文献１参照）【０００３】  従来のトイレットペーパー用ホルダーでは、引き出して切断するまでの工程は、片手もしくは両手で紙を必要量引き出し、片手で紙を持ち、空いた手で上部カバーを押さえトイレットペーパーを固定し、上部カバーの切断機能で切断するというように両手での作業を必要とするのが一般的だった。【０００４】  また、切断した後、次に使用する紙端が切断部に付着してしまい紙の端部がうまく掴めないため次のペーパーを引き出すことが出来ない場合があった。【０００５】  片手でペーパーを引き出せる装置は、電動式で送り出すものがあった。しかしながら、電動式は価格が高価であった。（特許文献２参照）
【先行技術文献】
【０００６】
【特許文献１】特許第３３５６７２７号  公報
【特許文献２】特開２０１０−２４６８６６号  公報
【発明の概要】
【発明が解決しようとする課題】
【０００７】  本発明は上記実情を鑑みてなされたものであって、トイレットペーパーを簡単に装着でき、かつトイレットペーパー切断後、取出し口よりトイレットペーパーを数センチ出すことにより、次の使用者がトイレットペーパーを容易に引き出すことが出来、切断したトイレットペーパーを片手で巻き取り束にするトイレットペーパーホルダーを提供することを課題とするものである。
【課題を解決するための手段】
【００８】  ペーパー収納部を備えたホルダー本体と、
該ホルダー本体に回動自在に取り付けられたカバーと、
ペーパーを分断する切断機構と、
を具備したトイレットペーパーホルダーにおいて、
ペーパーの外周部を保持する構造とした該ペーパー収納部と、
薄板状の刃物と該刃物が陥入する溝を有した受台とからなり、何れかの一方がホルダー本体に、他方がカバーに分離可能に配設された該切断機構と、
該刃物の周囲を所定の押圧を付与する紙の押圧機構と、
該ペーパー切断機構のペーパー搬送経路上流側に、該ペーパー切断機構と連動してペーパーを通紙面より凸状に撓ませるループ形成部材と、
該ループ部材と協働するペーパーリフターと、
該ペーパー収納部のペーパー引出位置にペーパーを送り出すローラ棒と、
ペーパーを該ペーパー収納部へ逆流防止する機構と、
を備えたことを特徴としたトイレットペーパーホルダーである。
さらに、前記ペーパーホルダーに外付で、ペーパーの幅方向と概ね平行に回転軸を有した回転体で、該回転体のフランジに片持ちで固着支持され、ペーパーの幅方向に伸びた複数の巻取棒を備えた巻取機構であって、紙幅の１／２〜２／３程度の長さとし、回転軸に平行もしくは回転方向に僅かに傾けた該巻取棒有し、前記切断機構のペーパー経路の下流側に設けたことを特徴としたトイレットペーパーホルダーである。
本発明は、以上の構成によりなるトイレットペーパーホルダーである。
【発明の効果】
【００９】  本発明によれば、シンプルな構造で、ペーパーを簡単にセットし、繰り出し、切断して次の使用時のペーパー先端を容易に手で摘むようにすることができる。【００１０】  また、本発明の巻取り機構を装着すると、ペーパーの交換から引出、切断、巻取りの一連の工程を片手で行うことができることと、綺麗な束を形成でき、さらに紙の端部がうまく掴めない場合等の不便さも解消されるため、障害などで片手しか使えない場合にも容易に使用できる。
【図面の簡単な説明】
【００１１】
【図１】本発明を実施するための一形態におけるトイレットペーパーホルダーの構造を反映した斜視図
【図２】本発明におけるトイレットペーパーホルダーの断面図
【図３】本発明における使用状態でのトイレットペーパーホルダーの斜視図
【図４】本発明におけるトイレットペーパー収納部の説明図
【図５】本発明におけるリフターの斜視図。
【図６】本発明における刃物組立の側面図
【図７】本発明における刃物形状を示す正面図
【図８】本発明における刃物と受台との位置関係を示す説明図
【図９】本発明におけるペーパー押え部とカッタ部の構造を示す説明図
【図１０】本発明における受台の溝に刃物を案内するガイド形状を示す説明図
【図１１】本発明におけるカバー部とボックス部との位置決めの説明図
【図１２】本発明における巻取り装置の斜視図
【図１３】本発明において、ホルダーへのトイレットペーパー挿入方法の説明図
【図１４】本発明における巻取り装置へのペーパー挿入を示す説明図
【図１５】本発明におけるペーパーの撓み機構を示す説明図
【図１６】本発明における使用方法を示す説明図
【発明を実施するための形態】
【００１２】  以下、図面を参照して本発明の実施の形態について説明する。
【００１３】  図１、図２、図３に示すように、本発明に係るトイレットペーパーホルダーは、ボックス部１００、ボックス部１００に開閉自在に取り付けられたカバー部２００、およびボックス部１００に装着された巻取り部３００から成る。
【００１４】  ボックス部１００にはカバー部２００の支点となる部位１４０、ペーパーの収納部１５０、収納部１５０からペーパーのロール径に関係なく一定位置から引き出しできる送り出しローラ軸１６０、後述する受台２１０と協働してペーパーを切断するカッタ部１８０、切断時に切カッタ部１８０の近傍のペーパーを受台２１０に押圧する紙押え部１９０、後述するループ形成部材２３０と係合して一定の通紙隙間を持って、収納部１５０とカッタ部１８０との間でペーパーを案内するリフター１７０から概ね構成されている。
【００１５】  図４に示すように、収納部１５０は、ボックス部１００の内部に設けてある左右の側板１５０ｌ、１５０ｒと、側板１５０ｌ、１５０ｒに回転自在に装着されたローラ軸１６０と、ローラ軸１６０の下部に設けられたパネル１５０ａから成る。
【００１６】  図２、図５に示すように、リフター１７０は、ローラ軸１６０とペーパー押え部１９０との間のペーパーを案内する案内面１７０ａを形成し、左右両端にはガイド孔１７０ｂを有し、ガイド孔１７０ｂにはリフター１７０が上下に移動可能なようにガイド棒１７１が貫通し、通紙位置を維持すると供に、後述するループ形成部材２３０と係合してリフター１７０を上下に追従して移動させるリフターばね２０を有している。
【００１７】  さらに、リフター１７０には、ループ形成部材２３０との間の通紙隙間を確保するために左右端に凸状の部位１７０Ｄが設けてある。
【００１８】  リフター１７０は、収納部１５０から引き出されたペーパーを紙押え部１９０に搬送するためのガイドの役割と合わせて、後述するループ形成部材２３０と係合してカッタ部１８０と収納部１５０との間でペーパーを撓ませる機能をもっている。
【００１９】  図６に示すように、カッタ部１８０は、厚さ１ｍｍの薄板状の刃物１８１、スペーサ１８２、板ナット１８３から構成されている。
【００２０】  図７に示す刃物１８１は、鋸刃状の刃先１８１ｂを有している。また、刃幅の概ね中央位置の刃先１８１ｂの谷部には約２ｍｍ幅で刃底１８１ｄより深いスリット１８１ｃが設けられている。
【００２１】  そして、図８に示すように、ボックス部１００の前面パネル１１０ａにスペーサ１８２を介してビス４１で固着されたカッタ部１８０は、後述するカバー２００に設けられた受台２１０の溝２１０ｂに陥入して切断を行う。
【００２２】  図９に示すように、紙押え部１９０は、刃物１８１を挿入して円滑に移動可能な溝１９０ｂを有し、下部には切断時にカッタ部１８０の近傍の紙を受台２１０に押圧するための紙押えばね２１を少なくとも２カ所以上有した構造である。
【００２３】  そして、紙押え部１９０は、ボックス１００の前面パネル１１０ａとボックス１００の内部に設けた図４に示す紙押えガイド板１１５により形成された空間を上下に移動する。
【００２４】  さらに、紙押え部１９０に設けた溝１９０ｂの左右両端には、カバー部２００が閉じた状態で受台２１０の溝２１０ｂと刃物１８１がスムースに嵌合するように、その先端部が図１０に示すように板厚方向にテーパを有している刃物１８１の板厚より僅かに厚いガイド突起１９１ｅが設けてある。
【００２５】  受台２１０の待機位置での紙押え部１９０とカッタ部１８０との位置関係は、紙押え部１９０の側面１９０ｃに設けた孔１９０ｄの下面に可動刃のスペーサ１８２が当接して、刃物１８１の刃先１８１ｂが紙押え部１９０の上面１９０ａより吐出しない状態にある。
【００２６】  カバー部２００は、支点部２５０と、刃物１８１が陥入する溝２１０ｂを有した受台２１０と、受台２１０を動作させるレバー２２０と、レバー２２０が摺動するガイド部２６０と、受台２１０に装着された紙を撓ませるループ形成部材２３０と、カバー部２００が閉じられた状態でローラ軸１６０を押圧する紙逆流防止部材２４０とから概ね構成されている。
【００２７】  ループ形成部材２３０は、カバー部２００が閉じられた状態で、収納部１５０と紙押え部１９０との間に設けられている。
【００２８】  紙逆流防止部材２４０は、後述の紙の撓みが解放されるときに収納部１５０側へ戻らないようにする機能を持っている。
【００２９】  図１１に示すように、ボックス部１００の左右の側板１１０ｌ、１１０ｒにＶ字状の窪み１１０ｖを設け、一方、カバー２００の左右の側板２００ｌ、２００ｒにＶ字状の突起２００ｖを設け、カバー２００を閉じた時に、窪み１１０ｖと突起２００ｖが嵌って、ボックス部１００とカバー部２００との各部の位置関係が繰り返し開閉しても一定となる構造である。
【００３０】  図１２に示すように、巻取り部３００は、ボックス部１００の側板１１０ｒと連結し、一方の端に軸受３５０ｂを持った連結部材３５０と、２本の巻取棒３６０を備え、且つ軸受３５０ｂに回動自在に装着された回転軸３８０を有した回転体３７０と、回転軸３８０の他方の端に設けたハンドル３９０とから概ね構成されている。
【００３１】  ２本の巻取棒３６０は、回転軸３８０の軸心に対してほぼ対称の位置に回転体３７０上に片持ちで固着支持され、他端は開放され、紙幅の１／２〜２／３程度の長さとし、開放された先端は回転方向にそれぞれ３°傾けてあり、２本の巻収り棒３６０の位置関係は、ほぼ水平で待機するように回転体３７０の重心が設定してある。
以上の構成よりなるトイレットペーパーホルダーである。
【００３２】  次に、以上のように構成された形態についての使用の一例を、図１３〜図１６に基づいて説明する。
図１３（ａ）及び図１３（ｂ）の如く、カバー２００を使用者の手によって開け、トイレットペーパーの巻端を１００ｍｍ程度引き出した状態で、紙の表面がローラ軸１６０側となるように、トイレットペーパーの収納部１５０に置いて、トイレットペーパー先端を取り出し口から十分に引き出したのち、図１３（ｃ）の如くカバー２００を閉じる。
【００３３】  図１４に示すように、トイレットペーパー３６ａを手で摘んで必要な量を引き出したのち、取出し口４００の直下に装着された巻取り部３００の２本の巻取り棒３６０の間に通す。
【００３４】  次に図１５（ｂ）の如く、受台２１０が紙押え部１９０の上面１９０ａと接触する位置までレバー２２０を押すと、既に引き出されたペーパー３６ａはループ形成部材２３０により約１０ｍｍ程度ボックス１００内に引き戻され、同時に収納部１５０のペーパーは同様にループ形成部材２３０により１０ｍｍ程度引き出され、カッタ部１８０とローラ軸１６０の間でペーパーの撓み３６ｂが形成される。
【００３５】  さらに図１５（ｃ）の如く、レバー２２０を最下点位置まで押すと、収納部１５０のペーパーはさらにループ形成部材２３０により１０ｍｍ程度引き出され、最終的なペーパーの撓み３６ｃが形成されると同時に、受台２１０と紙押え部１９０によって押圧された状態でペーパーは切断され、レバー２２０から指を放すと、レバー２２０はリフターばね１７２および紙押えばね２１によって、図１５（ａ）に示す待機位置まで自動復帰する。この撓み３６ｃ量は紙ループ形成部材２３０の移動量によって変えることができる。
【００３６】  受台２１０が待機位置に復帰すると、ペーパーの切断線３１は、切断部１８０とローラ軸１６０の間で形成されたペーパーの撓みがリフター１７０に押し上げられ取り出し口４００の方向に解放されて、刃物１８１の刃底１８１ｄに設けたスリット部１８１ｃによって形成された切残し部３８を維持したまま、切断位置から取り出し口方向に移動し、取り出し口から１０ｍｍ〜２０ｍｍ程度飛び出す。切残し部３８は、紙押え部１９０と受台２１０が離反した時点で自重落下するのを防止目的とするものである。本実施形態では１点残しとしたが、巻取り時の引張力で破断できれば、多点繋がりでも構わない。
【００３７】次に、取出し口４００の直下に装着された巻取り３００の２本の巻取り棒３６０の間に通したペーパーを巻き取る。本実施形態では、図１６（ａ）〜（ｃ）の如く、ハンドル３９０を矢印３９の方向に回転させて巻取り、最後に巻取りの引張力によって一点で繋がっている部分を分断して巻取りが完了となる。切残された紙の先端は撓み量相当のペーパーが取り出し口４００から引き出され、次の使用時にペーパー先端を容易に手で摘むことができる。
【００３８】  図１６（ｄ）の如く、巻取り棒３６０の開放された端面の方向に束ねたペーパーをスライドさせて取り出して完了する。
【００３９】  なお、図１２（ａ）〜（ｂ）に示す巻取り棒３６０は、それぞれ回転方向に傾けることで巻取りが螺旋状にならずに概ね重ねあった巻取りが可能である。本実施形態では巻取り棒３６０は図１２（ａ）に示す矢印方向に３°傾いている。使用上は２°〜５°の範囲であれば効果がある。
【００４０】  さらに、図１２（ｃ）に示すように巻取り棒３６０を回転方向の両方向に３°傾けると、どちらの回転方向にも対応できる。
【００４１】  以上の説明の通り、本発明のトイレットペーパーホルダーは、トイレットペーパーの使用時の一連工程（紙セット、引出、切断、巻取り）が片手で容易に可能で、さらに取出し口よりトイレットペーパーを数センチ出すことにより、次の使用者がトイレットペーパーを容易に引き出すことが出来る。
【００４２】  なお、本発明の一実施例に付き説明したが、本発明は既述の実施例に限定されるものではなく、本発明の技術的思想に基づいて、各種の変形及び変更が可能であることは当然である。
【符号の説明】
【００４３】２１  紙押えばね
３１  紙の切断線
３６  ロール紙
３８  切残し部分
３９  巻取り回転方向
４１  刃物取付ビス
１００  ボックス部
１１０ａ  ボックスの前面パネル
１１５  紙押えガイド板
１２３  板ナット
１４０  ボックスの支点となる部位
１５０  収納部
１５０ｂ  軸受部
１５０ｌ、１５０ｒ  収納部の側板
１６０  ローラ軸
１７０  リフター
１７１  ガイド棒
１７２  リフターばね
１８０  カッタ部
１８１  刃物
１８２  刃物のスペーサ
１８３  板ナット
１９０  紙押え部
２００  カバー部
２１０  受台
２２０  レバー
２３０  紙ループ形成部材
２４０  紙逆流防止部材
２５０  カバーの支点部
２６０  レバーの案内部
３００  巻取り部
３５０  連結部材
３６０  巻取棒
３７０  回転体
３８０  回転軸
３９０  ハンドル
４００  取り出し口
４２０  ヒンジ棒
【図１】
2017070701.tif 000003
【図２】
2017070701.tif 000004
【図３】
2017070701.tif 000005
【図４】
2017070701.tif 000006
【図５】
2017070701.tif 000007
【図６】
2017070701.tif 000008
【図７】
2017070701.tif 000009
【図８】
2017070701.tif 000010
【図９】
2017070701.tif 000011
【図１０】
2017070701.tif 000012
【図１１】
2017070701.tif 000013
【図１２】
2017070701.tif 000014
【図１３】
2017070701.tif 000015
【図１４】
2017070701.tif 000016
【図１５（ａ）】
2017070701.tif 000017
【図１５（ｂ）】
2017070701.tif 000018
【図１５（ｃ）】
2017070701.tif 000019
【図１６（ａ）】
2017070701.tif 000020
【図１６（ｂ）】
2017070701.tif 000021
【図１６（ｃ）】
2017070701.tif 000022
【図１６（ｄ）】
2017070701.tif 000023